(57)【要約】【課題】外気を吸い込んで室内へ供給する換気装置に設けられる虫取りフィルタにおいて、その交換時等でも捕捉した異物が飛散するのを確実に防止する。【解決手段】虫取りフィルタ（60）は、外気通路（32）を流れる空気が通過する開口（62）が形成された枠部（61）と、袋状に形成されて枠部（61）に取り付けられ、外気通路（32）を流れる空気中の異物を捕捉するフィルタ部材（63）と、換気装置（10）の停止中には開口（62）を閉塞し、換気装置（10）の作動中には外気通路（32）において生じる空気流れによって弾性変形して開口（62）を開放する入口弁（64）とを備えている。【選択図】図１１
2017127823.tif 000002
【特許請求の範囲】
【請求項１】
外気を吸い込んで室内へ供給する換気装置（10）の外気通路（32）に設けられる虫取りフィルタ（60）であって、
上記外気通路（32）を流れる空気が通過する開口（62）が形成された枠部（61）と、
袋状に形成されて上記枠部（61）に取り付けられ、上記外気通路（32）を流れる空気中の異物を捕捉するフィルタ部材（63）と、
上記換気装置（10）の停止中には上記開口（62）を閉塞し、上記換気装置（10）の作動中には上記外気通路（32）において生じる空気流れによって弾性変形して上記開口（62）を開放する入口弁（64）とを備えている
ことを特徴とする虫取りフィルタ。
【請求項２】
請求項１において、
上記入口弁（64）は、平板状に形成されて上記外気通路（32）における空気流れによって弾性変形する弁板（65）を二つ備え、
二つの上記弁板（65）は、互いの一部が重なり合って上記開口（62）を塞ぐように配置され、上記外気通路（32）の空気流れによって弾性変形して互いに離れるように、それぞれの周縁部の一部が上記枠部（61）に固定されている
ことを特徴とする虫取りフィルタ。
【請求項３】
請求項２において、
上記開口（62）は、矩形状であり、
上記弁板（65）は、矩形状でありかつ一辺に沿った第１縁部（65a）が上記枠部（61）に固定され、上記開口（62）の一組の対辺のそれぞれに沿って一つずつ配置され、上記第１縁部（65a）と平行な辺に沿った第２縁部（65b）が互いに重なり合っている
ことを特徴とする虫取りフィルタ。
【請求項４】
請求項３において、
上記開口（62）は、長方形状であり、
上記弁板（65）は、長方形状であり、一方の長辺に沿った部分が上記第１縁部（65a）を、他方の長辺に沿った部分が上記第２縁部（65b）を、それぞれ構成している
ことを特徴とする虫取りフィルタ。
【請求項５】
請求項１〜４のいずれか１項において、
上記枠部（61）に回動可能に取り付けられて上記枠部（61）の側方へ突出する取っ手部材（66）をさらに備えている
ことを特徴とする虫取りフィルタ。
【請求項６】
請求項５において、
上記取っ手部材（66）は、回動して上記枠部（61）と重なったときに上記開口（62）を覆うように構成されている
ことを特徴とする虫取りフィルタ。
【請求項７】
外気通路（32）が形成されたケーシング（11）と、
上記外気通路（32）に吸い込んだ空気を室内へ供給する給気ファン（41）と、
上記外気通路（32）に設けられた請求項１〜５のいずれか１項に記載の虫取りフィルタ（60）とを備えている
ことを特徴とする換気装置。
【請求項８】
外気通路（32）が形成されたケーシング（11）と、
上記外気通路（32）に吸い込んだ空気を室内へ供給する給気ファン（41）と、
請求項４または５に記載の虫取りフィルタ（60）とを備え、
上記ケーシング（11）の上面の背面寄りに、上記外気通路（32）に連通する外気吸込口（12d）が形成され、
上記虫取りフィルタ（60）は、上記外気吸込口（12d）を覆い、上記取っ手部材（66）が前面側へ延びるように配置されている
ことを特徴とする換気装置。
【発明の詳細な説明】
【技術分野】
【０００１】
本発明は、虫取りフィルタおよびそれを備えた換気装置に関するものである。
【背景技術】
【０００２】
従来より、外気を吸い込んで室内へ供給する換気装置の外気通路に、該外気通路を流れる空気中の虫等の異物を捕捉するための虫取りフィルタを設けることが知られている。
【０００３】
例えば、特許文献１の室内換気ユニットでは、外気取入口に漏斗状の防虫ネットを設けることにより、当該防虫ネットの漏斗状部分の底部に虫等の異物が集められるようにしている。
【０００４】
また、特許文献２のデシカント式換気扇では、虫取りフィルタの開口枠部を折り曲げて閉塞することにより、捕捉した虫等の異物が飛散することを防止できるようにしている。
【先行技術文献】
【特許文献】
【０００５】
【特許文献１】特開平１１−３２５５３５号公報
【特許文献２】特開２０１２−１６３２８３号公報
【発明の概要】
【発明が解決しようとする課題】
【０００６】
しかしながら、特許文献１の防虫ネットは、その開口部が閉塞されていないため、漏斗状部分の底部に集まった虫等の異物が、防虫ネットを交換する際等に開口部から飛散するおそれがある。また、特許文献２の虫取りフィルタは、その開口部を閉塞することが出来るものの、デシカント式換気扇から虫取りフィルタを取り出して開口部を閉塞するまでの間に、生存する虫等の異物が飛び出すおそれがある。このように、両特許文献に記載の防虫ネットないし虫取りフィルタは、その交換時等に、捕捉した虫等の異物が飛散するおそれがある。
【０００７】
本発明は、かかる点に鑑みてなされたものであり、その目的は、外気を吸い込んで室内へ供給する換気装置に設けられる虫取りフィルタにおいて、その交換時等でも捕捉した異物が飛散するのを確実に防止することにある。
【課題を解決するための手段】
【０００８】
第１の発明は、外気を吸い込んで室内へ供給する換気装置（10）の外気通路（32）に設けられる虫取りフィルタ（60）に関する。そして、該虫取りフィルタ（60）は、上記外気通路（32）を流れる空気が通過する開口（62）が形成された枠部（61）と、袋状に形成されて上記枠部（61）に取り付けられ、上記外気通路（32）を流れる空気中の異物を捕捉するフィルタ部材（63）と、上記換気装置（10）の停止中には上記開口（62）を閉塞し、上記換気装置（10）の作動中には上記外気通路（32）において生じる空気流れによって弾性変形して上記開口（62）を開放する入口弁（64）とを備えている。
【０００９】
上記第１の発明では、換気装置（10）の動作中には、入口弁（64）が弾性変形して枠部（61）の開口（62）が開放される。そして、換気装置（10）の外気通路（32）を流れる空気は、枠部（61）の開口（62）を通過した後にフィルタ部材（63）をさらに通過する。このとき、外気通路（32）を流れる空気中の異物（例えば、虫）は、フィルタ部材（63）によって捕捉される。一方、換気装置（10）を停止すると、入口弁（64）が枠部（61）の開口（62）を閉塞する。このため、換気装置（10）の停止中には、フィルタ部材によって捕捉された異物は、枠部（61）の開口（62）を通って虫取りフィルタ（60）の外部へ出ることができない。したがって、虫取りフィルタ（60）を交換する時にも枠部（61）の開口（62）は入口弁（64）によって閉塞されたままであり、捕捉した異物が虫取りフィルタ（60）の外部へ飛散することが防止される。
【００１０】
第２の発明は、上記第１の発明において、上記入口弁（64）は、平板状に形成されて上記外気通路（32）における空気流れによって弾性変形する弁板（65）を二つ備え、二つの上記弁板（65）は、互いの一部が重なり合って上記開口（62）を塞ぐように配置され、上記外気通路（32）の空気流れによって弾性変形して互いに離れるように、それぞれの周縁部の一部が上記枠部（61）に固定されていることを特徴とする。
【００１１】
上記第２の発明では、換気装置（10）の停止中に、二つの弁板（65）によって枠部（61）の開口（62）が塞がれる。このとき、二つの弁板（65）は、互いの一部が重なり合うので、これらの弁板（65）同士の間に隙間が生じにくく、捕捉した異物が飛散することが確実に防止される。
【００１２】
第３の発明は、上記第２の発明において、上記開口（62）は、矩形状であり、上記弁板（65）は、矩形状でありかつ一辺に沿った第１縁部（65a）が上記枠部（61）に固定され、上記開口（62）の一組の対辺のそれぞれに沿って一つずつ配置され、上記第１縁部（65a）と平行な辺に沿った第２縁部（65b）が互いに重なり合っていることを特徴とする。
【００１３】
上記第３の発明では、二つの矩形状の弁板（65）の各々の第１縁部（65a）が枠部（61）に固定される。そして、換気装置（10）の停止中には、二つの弁板（65）の第２縁部（65b）が互いに重なり合って枠部（61）の開口（62）を塞ぐ。なお、本明細書中における「矩形」とは、正方形および長方形の双方を含む語である。
【００１４】
第４の発明は、上記第３の発明において、上記開口（62）は、長方形状であり、上記弁板（65）は、長方形状であり、一方の長辺に沿った部分が上記第１縁部（65a）を、他方の長辺に沿った部分が上記第２縁部（65b）を、それぞれ構成していることを特徴とする。
【００１５】
上記第４の発明では、二つの長方形状の弁板（65）の各々の一方の長辺に沿った部分が枠部（61）に固定される。そして、換気装置（10）の停止中には、二つの弁板（65）の他方の長辺に沿った部分が互いに重なり合って枠部（61）の開口（62）を塞ぐ。
【００１６】
第５の発明は、上記第１〜第４の発明のいずれか１つにおいて、上記枠部（61）に回動可能に取り付けられて上記枠部（61）の側方へ突出する取っ手部材（66）をさらに備えていることを特徴とする。
【００１７】
上記第５の発明では、取っ手部材（66）を把持することにより、虫取りフィルタ（60）の交換が容易化される。そして、交換用の虫取りフィルタ（60）を保管しておく際には、取っ手部材（66）を回動させて虫取りフィルタ（60）を折り畳むことにより省スペース化が図られる。
【００１８】
第６の発明は、上記第５の発明において、上記取っ手部材（66）は、回動して上記枠部（61）と重なったときに上記開口（62）を覆うように構成されていることを特徴とする。
【００１９】
上記第６の発明では、取っ手部材（66）を回動させて枠部（61）と重ねると、当該取っ手部材（66）によって枠部（61）の開口（62）が覆われる。したがって、使用後の虫取りフィルタ（60）において取っ手部材（66）で枠部（61）の開口（62）を覆うことにより、捕捉した異物が飛散することがより確実に防止される。
【００２０】
第７の発明は、換気装置（10）を対象とし、該換気装置（10）は、外気通路（32）が形成されたケーシング（11）と、上記外気通路（32）に吸い込んだ空気を室内へ供給する給気ファン（41）と、上記外気通路（32）に設けられた請求項１〜５のいずれか１項に記載の虫取りフィルタ（60）とを備えている。
【００２１】
上記第７の発明では、換気装置（10）の作動中には、給気ファン（41）によって外気通路（32）における空気流れが生じる。そして、外気通路（32）を流れる空気中の異物は、虫取りフィルタ（60）によって捕捉される。換気装置（10）を停止させると、虫取りフィルタ（60）の枠部（61）の開口（62）が入口弁（64）によって閉塞されるので、虫取りフィルタ（60）の交換時等でも捕捉した異物が飛散することが防止される。
【００２２】
第８の発明は、換気装置（10）を対象とし、該換気装置（10）は、外気通路（32）が形成されたケーシング（11）と、上記外気通路（32）に吸い込んだ空気を室内へ供給する給気ファン（41）と、請求項４または５に記載の虫取りフィルタ（60）とを備え、上記ケーシング（11）の上面の背面寄りに、上記外気通路（32）に連通する外気吸込口（12d）が形成され、上記虫取りフィルタ（60）は、上記外気吸込口（12d）を覆い、上記取っ手部材（66）が前面側へ延びるように配置されている。
【００２３】
上記第８の発明では、換気装置（10）の作動中には、給気ファン（41）によって外気通路（32）における空気流れが生じる。そして、外気通路（32）を流れる空気中の異物は、虫取りフィルタ（60）によって捕捉される。換気装置（10）を停止させると、虫取りフィルタ（60）の枠部（61）の開口（62）が入口弁（64）によって閉塞されるので、虫取りフィルタ（60）の交換時等でも捕捉した異物が飛散することが防止される。また、取っ手部材（66）が前面側へ延びるように配置されているので、換気装置（10）の前面側から虫取りフィルタ（60）の交換が容易に行われる。
【発明の効果】
【００２４】
本発明によれば、換気装置（10）の停止中には入口弁（64）によって枠部（61）の開口（62）が閉塞されるので、虫取りフィルタ（60）の交換時でも捕捉した異物が飛散するのを確実に防止することができる。
【００２５】
また、上記第２〜第４の発明によれば、換気装置（10）の停止中に、枠部（61）の開口（62）を閉塞する二つの弁板（65）の互いの一部が重なり合うので、当該弁板（65）同士の間に隙間が生じにくく、捕捉した異物が飛散するのをより確実に防止することができる。
【００２６】
また、上記第５および第６の発明によれば、取っ手部材（66）を把持することにより、虫取りフィルタ（60）の交換を容易に行うことができる。さらに、交換用の虫取りフィルタ（60）を保管しておく際に、その省スペース化を図ることができる。
【００２７】
また、上記第６の発明によれば、使用後の虫取りフィルタ（60）において取っ手部材（66）で枠部（61）の開口（62）を覆うことにより、捕捉した異物が飛散するのをより確実に防止することができる。
【００２８】
また、上記第７および第８の発明によれば、虫取りフィルタ（60）を備えた換気装置（10）において、当該虫取りフィルタ（60）の交換時等でも捕捉した異物が飛散するのを確実に防止することができる。
【００２９】
また、上記第８の発明によれば、取っ手部材（66）が前面側へ延びるように配置されているので、換気装置（10）の前面側から虫取りフィルタ（60）の交換を容易に行うことができる。
【図面の簡単な説明】
【００３０】
【図１】図１は、実施形態に係る調湿装置の斜視図である。
【図２】図２は、図１のII-II断面図である。
【図３】図３は、図２のIII-III断面図である。
【図４】図４は、図２のIV-IV断面図である。
【図５】図５は、図３のV-V断面図である。
【図６】図６は、図３のVI-VI断面図である。
【図７】図７は、図３のVII-VII断面図である。
【図８】図８は、虫取りフィルタの斜視図である。
【図９】図９は、虫取りフィルタの斜視図であって、取っ手部材で枠部の開口を覆った状態を示すものである。
【図１０】図１０は、調湿装置の停止中における虫取りフィルタを示す正面断面図である。
【図１１】図１１は、調湿装置の動作中における虫取りフィルタを示す正面断面図である。
【図１２】図１２は、冷媒回路の概略構成図である。
【図１３】図１３は、第１動作及び第３動作における図７相当図である。
【図１４】図１４は、第１動作及び第３動作における図５の要部拡大図である。
【図１５】図１５は、第１動作及び第３動作における図６の要部拡大図である。
【図１６】図１６は、第２動作及び第４動作における図７相当図である。
【図１７】図１７は、第２動作及び第４動作における図５の要部拡大図である。
【図１８】図１８は、第２動作及び第４動作における図６の要部拡大図である。
【発明を実施するための形態】
【００３１】
本発明の実施形態を図面に基づいて詳細に説明する。なお、以下の実施形態は、本質的に好ましい例示であって、本発明、その適用物、あるいはその用途の範囲を制限することを意図するものではない。
【００３２】
《発明の実施形態》
実施形態に係る調湿装置（10）は、換気装置の一例であって、室内を除湿する除湿運転と室内を加湿する加湿運転とを行う。調湿装置（10）は、２つの吸着熱交換器（52,53）を用いて空気を調湿する吸着方式である。
【００３３】
調湿装置（10）は室内の換気を行う換気式に構成される。調湿装置（10）では、室外空気（OA）が吸着熱交換器（52,53）を通過した後、供給空気（SA）として室内へ供給される。同時に室内空気（RA）が吸着熱交換器（52,53）を通過した後、排出空気（EA）として室外へ排出される。
【００３４】
調湿装置（10）は、例えば住宅などの室内に設置される据置式、あるいは床置式に構成される。
【００３５】
〈ケーシング〉
図１に示すように、調湿装置（10）は、箱形のケーシング（11）を有している。ケーシング（11）は、縦長の直方体状に形成されている。ケーシング（11）では、前後の長さが左右の幅よりも大きい。ケーシング（11）は、室内の床面に設置される。ケーシング（11）は、その後面が家屋の側壁と接するように配置される。
【００３６】
ケーシング（11）は、天板（12）、底板（13）、前板（14）、後板（15）、第１側板（16）、および第２側板（17）を有している。天板（12）はケーシング（11）の上端部を構成し、底板（13）はケーシング（11）の下端部を構成する。前板（14）はケーシング（11）の前端部を構成し、後板（15）はケーシング（11）の後端部を構成する。第１側板（16）はケーシング（11）の左端部を構成し、第２側板（17）はケーシング（11）の右端部を構成する。
【００３７】
天板（12）には、内気接続部（12a）、給気接続部（12b）、排気接続部（12c）、および外気接続部（12d）が設けられる。内気接続部（12a）は、天板（12）の前側寄り且つ左側寄りに配置される。給気接続部（12b）は、天板（12）の前側寄り且つ右側寄りに配置される。排気接続部（12c）は、天板（12）の後側寄り且つ左側寄りに配置される。外気接続部（12d）は、天板（12）の後側寄り且つ右側寄りに配置される。つまり、外気接続部（12d）は、ケーシング（11）の上面の背面寄りに形成されていて、後述する外気通路（32）に連通する外気吸込口を構成している。
【００３８】
内気接続部（12a）には内気ダクト（5）が接続され、給気接続部（12b）には給気ダクト（6）が接続される。排気接続部（12c）には排気ダクト（7）が接続され、外気接続部（12d）には外気ダクト（8）が接続される。内気ダクト（5）の流入端、および給気ダクト（6）の流出端は室内空間に連通している。排気ダクト（7）の流出端、および外気ダクト（8）の流入端は室外空間に連通している。
【００３９】
ケーシング（11）では、天板（12）、底板（13）、後板（15）、第１側板（16）、および第２側板（17）がケーシング本体（11a）を構成する。つまり、ケーシング本体（11a）は、前側が開放された箱状に形成される。前板（14）は、ケーシング本体（11a）の前側開放部に着脱可能に取り付けられる。前板（14）を取り外すことでケーシング本体（11a）の内部が作業者に対して露出される。この状態で、作業者は各種の構成部品（例えば電装品、圧縮機（51）、ダンパ（D1〜D8）、ファン（41,42）など）のメンテナンスを行うことができる。
【００４０】
図２に示すように、前板（14）は、内板（14a）と化粧パネル（14b）とで構成される。内板（14a）はケーシング（11）の内部に面し、化粧パネル（14b）はケーシング（11）の外部に面する。
【００４１】
〈ケーシングの内部構造〉
ケーシング（11）の内部構造について図２〜図１８を参照しながら説明する。
【００４２】
〔仕切板および内部空間〕
図３〜図６に示すように、ケーシング（11）の底板（13）寄りには、下部仕切板（20）が設けられる。下部仕切板（20）は、前板（14）、後板（15）、第１側板（16）、および第２側板（17）に亘る水平な板を構成する。
【００４３】
下部仕切板（20）の下側には機械室（30）が区画される。
【００４４】
下部仕切板（20）と天板（12）との間には、第１仕切板（21）と第２仕切板（22）とが設けられる。第１仕切板（21）は第１側板（16）寄りに配置され、第２仕切板（22）は第２側板（17）寄りに配置される。第１仕切板（21）および第２仕切板（22）は、天板（12）、下部仕切板（20）、前板（14）、および後板（15）に亘る鉛直な板を構成する。
【００４５】
第１側板（16）と第１仕切板（21）との間には、内気通路（31）が区画される。第２側板（17）と第２仕切板（22）の間には、外気通路（32）が区画される。内気通路（31）は内気ダクト（5）と連通し、外気通路（32）は外気ダクト（8）と連通する。内気通路（31）には室内空気（RA）が導入され、外気通路（32）には室外空気（OA）が導入される。
【００４６】
第１仕切板（21）と第２仕切板（22）との間には、下側水平仕切板（23）と上側水平仕切板（24）とが設けられる。下側水平仕切板（23）は、第１仕切板（21）および第２仕切板（22）の下部に支持される。上側水平仕切板（24）は、第１仕切板（21）および第２仕切板（22）の上下方向の中間部に支持される。下側水平仕切板（23）および上側水平仕切板（24）は、前板（14）、後板（15）、第１仕切板（21）、および第２仕切板（22）に亘る水平な板を構成する。
【００４７】
図７に示すように、第１仕切板（21）の下部と第２仕切板（22）の下部との間には、下側中央仕切板（25）が設けられる。下側中央仕切板（25）は、第１仕切板（21）および第２仕切板（22）の前後方向の中間部に支持される。下側中央仕切板（25）は、第１仕切板（21）、第２仕切板（22）、下側水平仕切板（23）、および上側水平仕切板（24）に亘る鉛直な板を構成する。
【００４８】
下側中央仕切板（25）の前側には第１熱交換器室（33）が区画され、下側中央仕切板（25）の後側には第２熱交換器室（34）が区画される。
【００４９】
図２に示すように、第１仕切板（21）の上部と第２仕切板（22）の上部との間には、上側中央仕切板（26）が設けられる。上側中央仕切板（26）は、第１仕切板（21）および第２仕切板（22）の前後方向の中間部（厳密にはやや後方寄り）に支持される。上側中央仕切板（26）は、第１仕切板（21）、第２仕切板（22）、および天板（12）に亘る鉛直な板を構成する。上側中央仕切板（26）の下端と上側水平仕切板（24）の上端とは離間している。
【００５０】
上側中央仕切板（26）の前側には給気通路（35）が区画され、上側中央仕切板（26）の後側には排気通路（36）が区画される。給気通路（35）は給気ダクト（6）と連通し、排気通路（36）は排気ダクト（7）と連通する。
【００５１】
前板（14）と上側中央仕切板（26）との間には、前側仕切板（27）が設けられる。図３に示すように、前側仕切板（27）は縦断面がＬの字に形成される。前側仕切板（27）の下端は上側水平仕切板（24）に接続され、前側仕切板（27）の右端は第２仕切板（22）に接続される。
【００５２】
前板（14）と上側水平仕切板（24）と第２仕切板（22）と前側仕切板（27）との間には、排気連通路（37）が形成される。排気連通路（37）は、上側中央仕切板（26）と上側水平仕切板（24）との間の空間を介して排気通路（36）と連通し、給気通路（35）とは遮断される。
【００５３】
後板（15）と上側中央仕切板（26）との間には、後側仕切板（28）が設けられる。図４に示すように、後側仕切板（28）は縦断面がＬの字に形成される。後側仕切板（28）の下端は上側水平仕切板（24）に接続され、後側仕切板（28）の左端は第１仕切板（21）に接続される。
【００５４】
後板（15）と上側水平仕切板（24）と第１仕切板（21）と後側仕切板（28）との間には、給気連通路（38）が形成される。給気連通路（38）は、上側中央仕切板（26）と上側水平仕切板（24）との間の空間を介して給気通路（35）と連通し、排気通路（36）とは遮断される。
【００５５】
〔電装品箱〕
図３、図５、図６に示すように、機械室（30）には、電装品箱（40）が設けられる。電装品箱（40）は、底板（13）のうち前板（14）寄りの部分に設置される。電装品箱（40）の内部には、各種の電装品が収容される。
【００５６】
〔圧縮機〕
図３〜図６に示すように、機械室（30）には、圧縮機（51）が設けられる。圧縮機（51）は、冷媒回路（50）に接続される（図１２を参照）。圧縮機（51）は、底板（13）のうち後板（15）寄りの部分に設置される。圧縮機（51）は、電装品箱（40）の後側に配置される。
【００５７】
〔ダンパ〕
調湿装置（10）は、流路切換機構を構成する８つのダンパ（D1〜D8）を備えている。８つのダンパは、第１ダンパ（D1）、第２ダンパ（D2）、第３ダンパ（D3）、第４ダンパ（D4）、第５ダンパ（D5）、第６ダンパ（D6）、第７ダンパ（D7）、および第８ダンパ（D8）で構成される。
【００５８】
図５に示すように、第１ダンパ（D1）および第２ダンパ（D2）は、第１仕切板（21）に取り付けられる。第１ダンパ（D1）および第２ダンパ（D2）の高さ位置は概ね等しい。第１ダンパ（D1）および第２ダンパ（D2）は、第１仕切板（21）の下部寄りに配置される。第１ダンパ（D1）は、第１仕切板（21）の前側寄りに配置され、第２ダンパ（D2）は、第１仕切板（21）の後側寄りに配置される。
【００５９】
図６に示すように、第３ダンパ（D3）および第４ダンパ（D4）は、第２仕切板（22）に取り付けられる。第３ダンパ（D3）および第４ダンパ（D4）の高さ位置は概ね等しい。第３ダンパ（D3）および第４ダンパ（D4）は、第２仕切板（22）の下部寄りに配置される。第３ダンパ（D3）は、第２仕切板（22）の前側寄りに配置され、第４ダンパ（D4）は、第２仕切板（22）の後側寄りに配置される。
【００６０】
図７に示すように、第５ダンパ（D5）、第６ダンパ（D6）、第７ダンパ（D7）、および第８ダンパ（D8）は、上側水平仕切板（24）に取り付けられる。第５ダンパ（D5）は上側水平仕切板（24）の前側寄り且つ左側寄りに配置され、第６ダンパ（D6）は上側水平仕切板（24）の後側寄り且つ左側寄りに配置される。第７ダンパ（D7）は上側水平仕切板（24）の前側寄り且つ右側寄りに配置され、第８ダンパ（D8）は上側水平仕切板（24）の後側寄り且つ右側寄りに配置される。
【００６１】
図１４、図１５に例示するように、８つのダンパ（D1〜D8）の各々は、１つの開口（O）と、１つのモータ（M）と、２枚のシャッタ（S）とを有している。各ダンパ（D1〜D8）では、モータ（M）により２枚のシャッタ（S）が駆動される。これにより、各ダンパ（D1〜D8）では、シャッタ（S）が開口（O）を閉鎖する状態と開口（O）を開放する状態とに切り換わる。
【００６２】
第１ダンパ（D1）は内気通路（31）と第１熱交換器室（33）とを断続し、第２ダンパ（D2）は内気通路（31）と第２熱交換器室（34）とを断続する。第３ダンパ（D3）は外気通路（32）と第１熱交換器室（33）とを断続し、第４ダンパ（D4）は外気通路（32）と第２熱交換器室（34）とを断続する。
【００６３】
第５ダンパ（D5）は給気通路（35）と第１熱交換器室（33）とを断続し、第６ダンパ（D6）は給気通路（35）と第２熱交換器室（34）とを断続する。第７ダンパ（D7）は排気通路（36）と第１熱交換器室（33）とを断続し、第８ダンパ（D8）は排気通路（36）と第２熱交換器室（34）とを断続する。
【００６４】
流路切換機構である８つのダンパ（D1〜D8）は、ケーシング（11）の内部において、第１空気流路と第２空気流路とを切り換えて形成する。
【００６５】
図１３〜図１５に示すように、第１空気流路を形成するときには、第２ダンパ（D2）、第３ダンパ（D3）、第５ダンパ（D5）、および第８ダンパ（D8）が開状態となり、第１ダンパ（D1）、第４ダンパ（D4）、第６ダンパ（D6）、および第７ダンパ（D7）が閉状態となる。つまり、この状態では、外気通路（32）、第１熱交換器室（33）、給気通路（35）が連続して連通し、且つ内気通路（31）、第２熱交換器室（34）、排気通路（36）が連続して連通する。第１空気流路では、外気通路（32）の空気が第１吸着熱交換器（52）を通過し給気通路（35）へ送られ且つ内気通路（31）の空気が第２吸着熱交換器（53）を通過し排気通路（36）へ送られる。
【００６６】
図１６〜図１８に示すように、第２空気流路を形成するときには、第１ダンパ（D1）、第４ダンパ（D4）、第６ダンパ（D6）、および第７ダンパ（D7）が開状態となると同時に第２ダンパ（D2）、第３ダンパ（D3）、第５ダンパ（D5）、および第８ダンパ（D8）が閉状態とる。つまり、この状態では、外気通路（32）、第２熱交換器室（34）、給気通路（35）が連続して連通し、且つ内気通路（31）、第１熱交換器室（33）、排気通路（36）が連続して連通する。第２空気流路では、外気通路（32）の空気が第２吸着熱交換器（53）を通過し給気通路（35）へ送られ且つ内気通路（31）の空気が第１吸着熱交換器（52）を通過し排気通路（36）へ送られる。
【００６７】
〔吸着熱交換器〕
図３、図４、図７に示すように、第１熱交換器室（33）には第１吸着熱交換器（52）が設けられ、第２熱交換器室（34）には第２吸着熱交換器（53）が設けられる。第１吸着熱交換器（52）および第２吸着熱交換器（53）は、冷媒回路（50）に接続される（図１２を参照）。
【００６８】
２つの吸着熱交換器（52,53）の各々は、伝熱管と、該伝熱管と接続する多数のフィンと、該多数のフィンの表面に担持される吸着剤とを有する。吸着剤は水分の吸着および脱着が可能に構成される。吸着剤としては、ゼオライト、シリカゲル、活性炭、親水性の官能基を有する有機高分子材料等が用いられる。吸着剤としては、水分を吸着する機能だけでなく、水分を吸収する機能を有する材料（いわゆる収着剤）を用いてもよい。
【００６９】
〔給気ファンおよび排気ファン〕
図２および図３に示すように、給気通路（35）には、外気通路（32）に吸い込んだ空気を室内へ供給する給気ファン（41）が設けられる。給気ファン（41）は、前側仕切板（27）の上面に設置される。給気ファン（41）の吹出口は、給気ダクト（6）に連通している。
【００７０】
図２および図４に示すように、排気通路（36）には、内気通路（31）に吸い込んだ空気を室外へ排出する排気ファン（42）が設けられる。排気ファン（42）は、後側仕切板（28）の上面に設置される。排気ファン（42）の吹出口は、排気ダクト（7）に連通している。
【００７１】
〔外気フィルタ〕
外気通路（32）には、外気接続部（12d）の下方に外気フィルタ（43）が設けられる。外気フィルタ（43）は、ＨＥＰＡフィルタ（High Efficiency Particulate Air Filter）等の比較的高性能のフィルタである。外気フィルタ（43）は、室外空気（OA）中の塵埃等を捕集する。
【００７２】
〔虫取りフィルタ〕
図３および図４に示すように、外気通路（32）には、外気接続部（12d）の下方であって外気フィルタ（43）の上方に虫取りフィルタ（60）が設けられる。図８に示すように、この虫取りフィルタ（60）は、枠部（61）と、フィルタ部材（63）と、入口弁（64）と、取っ手部材（66）とを備えている。
【００７３】
図２および図８に示すように、枠部（61）は、矩形枠状に形成されている。この枠部（61）には、外気通路（32）を流れる空気が通過する長方形状の開口（62）が形成されている。枠部（61）は、外気接続部（12d）の下方に配置されている。図２に示すように、枠部（61）の左右方向長さは、第２仕切板（22）の上側部と第２側板（17）との間の間隔と実質的に等しい。枠部（61）の前後方向長さは、前板（14）と後板（15）との間の間隔の半分よりもわずかに短い。なお、枠部（61）の前後方向長さは、前板（14）と後板（15）との間の間隔の半分と実質的に等しくてもよい。
【００７４】
フィルタ部材（63）は、外気通路（32）を流れる空気を濾過して空気中の異物（例えば、虫）を捕捉するためのものであって、袋状に形成されて枠部（61）に取り付けられている。フィルタ部材（63）は、外気接続部（12d）を下から覆うように配置されている。フィルタ部材（63）は、図１０および図１１に示すように、縦断面形状が下方にいくに従って先細りになるテーパ状に形成されている。フィルタ部材（63）は、空気が通過可能な素材（例えば不織布）で構成されている。
【００７５】
入口弁（64）は、枠部（61）の開口（62）を開閉するものであって、長方形の平板状の二つの弁板（65）を有している。各弁板（65）は、枠部（61）の開口（62）の一組の対辺（この例では、左右方向において対向する対辺）のそれぞれに沿って一つずつ配置されている。各弁板（65）は、一方（この例では、枠部（61）の開口（62）の中央から遠い方）の長辺に沿った部分が第１縁部（65a）を、他方（この例では、枠部（61）の開口（62）の中央に近い方）の長辺に沿った部分が第２縁部（65b）を、それぞれ構成している。各弁板（65）は、第１縁部（65a）が枠部（61）に固定され、第２縁部（65b）が互いに重なり合っている。つまり、二つの弁板（65）は、互いの一部が重なり合って枠部（61）の開口（62）を塞ぐように配置されている。各弁板（65）は、例えばメッシュ状の樹脂材料または不織布で構成されている。
【００７６】
入口弁（64）は、図１０に示すように、調湿装置（10）の停止中には、二つの弁板（65）によって枠部（61）の開口（62）を閉塞する。一方、入口弁（64）は、図１１に示すように、調湿装置の作動中には、外気通路（32）において生じる空気流れ（図１１に矢印で示す）によって各弁板（65）が弾性変形して枠部（61）の開口（62）を開放する。つまり、二つの弁板（65）は、外気通路（32）の空気流れによって弾性変形して互いに離れるように、それぞれの周縁部の一部（すなわち、第２縁部（65b））が枠部（61）に固定されている。
【００７７】
図１１に示すように、外気通路（32）における空気流が弁板（65）に当たると、各弁板（65）が湾曲し、各弁板（65）の第２縁部（65b）が空気流の下流側（図１１における下側）へ変位する。その結果、各弁板（65）の第２縁部（65b）が互いに離れ、各弁板（65）の第２縁部（65b）の間を空気が通過する。一方、図１０に示すように、外気通路（32）を空気が流れていない状態では、各弁板（65）が平板状となっている。そして、各弁板（65）の第２縁部（65b）が互いに重なり合い、二つの弁板（65）によって開口（62）が塞がれる。本実施形態の虫取りフィルタ（60）によると、調湿装置（10）の作動中には外気通路（32）における空気の流通を阻害しない一方、調湿装置（10）の停止中には捕捉した虫等の異物が枠部（61）の開口（62）を通って飛散するのを防止することができる。
【００７８】
取っ手部材（66）は、図２および図８に示すように、軸Ａ回りに回動可能に枠部（61）に一体的に取り付けられかつ該枠部（61）の側方（この例では前面側）へ突出して延びる長方形状の部分である。取っ手部材（66）の左右方向長さは、枠部（61）の左右方向長さと実質的に等しい。取っ手部材（66）の前後方向長さは、枠部（61）の前後方向長さと実質的に等しい。このため、図９に示すように、取っ手部材（66）を軸Ａ回りに回動させて枠部（61）と重ねると、取っ手部材（66）によって枠部（61）の開口（62）が覆われる。
【００７９】
〔冷媒回路〕
図１２に示すように、調湿装置（10）は、冷媒回路（50）を備えている。冷媒回路（50）では、充填された冷媒が循環し冷凍サイクルが行われる。冷媒回路（50）には、圧縮機（51）、第１吸着熱交換器（52）、第２吸着熱交換器（53）、膨張弁（54）、および四方切換弁（55）が接続される。
【００８０】
圧縮機（51）の吐出部は四方切換弁（55）の第１ポートに繋がり、圧縮機（51）の吸入部は四方切換弁（55）の第２ポートに繋がる。第１吸着熱交換器（52）のガス側端部は四方切換弁（55）の第３ポートに繋がり、第２吸着熱交換器（53）のガス側端部は四方切換弁（55）の第４ポートに繋がる。膨張弁（54）は、第１吸着熱交換器（52）の液側端部と第２吸着熱交換器（53）の液側端部との間に接続される。
【００８１】
四方切換弁が第１状態（図１２の実線で示す状態）になると、第１ポートと第３ポートとが連通し、且つ第２ポートと第４ポートとが連通する。四方切換弁（55）が第２状態（図１２の破線で示す状態）になると、第１ポートと第４ポートとが連通し、且つ第２ポートと第３ポートとが連通する。
【００８２】
〔制御部〕
上述した電装品箱の内部には、制御部（図示省略）が設けられる。制御部は、圧縮機（51）の容量、膨張弁（54）の開度、ダンパ（D1〜D8）の開閉状態、給気ファン（41）のモータの回転数、排気ファン（42）のモータの回転数などを制御する。
【００８３】
制御部は、室内へ供給される供給空気（SA）の風量が一定となるように給気ファン（41）のモータの回転数を制御する。制御部は、室外へ排出される排出空気（EA）の風量が一定となるように排気ファン（42）のモータの回転数を制御する。制御部は、供給空気（SA）の風量と排出空気（EA）の風量とが等しくなるように、各ファン（41,42）のモータの回転数をそれぞれ制御する。
【００８４】
〈運転動作〉
調湿装置（10）の運転について図２〜図４、図１０〜図１８を参照しながら説明する。調湿装置（10）は、除湿運転と加湿運転とを行う。
【００８５】
〔除湿運転〕
除湿運転では、圧縮機（51）、給気ファン（41）、および排気ファン（42）が駆動される。除湿運転では、第１動作（図１３〜図１５を参照）と第２動作（図１６〜図１８を参照）とが交互に繰り返し行われる。
【００８６】
[第１動作]
第１動作では、四方切換弁（55）が第２状態となる。第１動作中の冷媒回路（50）では、第１吸着熱交換器（52）が蒸発器となり第２吸着熱交換器（53）が凝縮器（放熱器）となる。第１動作では、８つのダンパ（D1〜D8）が第１空気流路を形成する。
【００８７】
第１動作において、外気ダクト（8）に導入された室外空気（OA）は、外気通路（32）に流入し下方へ流れる。外気通路（32）では、そこで生じる空気流れによって虫取りフィルタ（60）の弁板（65）が弾性変形するので（図１１を参照）、虫取りフィルタ（60）が外気通路（32）における空気の流通を妨げることがない。室外空気（OA）中の虫は、フィルタ部材（63）によって捕捉される。外気通路（32）の空気は第１熱交換器室（33）に流入し、第１吸着熱交換器（52）を通過する。第１吸着熱交換器（52）では、空気中の水分が吸着剤に吸着される。この際に生じる吸着熱が冷媒の蒸発熱として利用される。第１吸着熱交換器（52）で除湿された空気は、給気通路（35）、給気ダクト（6）を順に通過し、供給空気（SA）として室内へ供給される。
【００８８】
第１動作において、内気ダクト（5）に導入された室内空気（RA）は、内気通路（31）に流入し下方へ流れる。内気通路（31）の空気は第２熱交換器室（34）に流入し、第２吸着熱交換器（53）を通過する。第２吸着熱交換器（53）では、冷媒の凝縮熱が吸着剤に付与され、吸着剤が再生される。吸着剤の水分が付与された空気は、排気通路（36）、排気ダクト（7）を順に通過し、排出空気（EA）として室外へ排出される。
【００８９】
[第２動作]
第２動作では、四方切換弁（55）が第１状態となる。第２動作中の冷媒回路（50）では、第１吸着熱交換器（52）が凝縮器（放熱器）となり第２吸着熱交換器（53）が蒸発器となる。第２動作では、８つのダンパ（D1〜D8）が第２空気流路を形成する。
【００９０】
第２動作において、外気ダクト（8）に導入された室外空気（OA）は、外気通路（32）に流入し下方へ流れる。外気通路（32）では、そこで生じる空気流れによって虫取りフィルタ（60）の弁板（65）が弾性変形するので（図１１を参照）、虫取りフィルタ（60）が外気通路（32）における空気の流通を妨げることがない。室外空気（OA）中の虫は、フィルタ部材（63）によって捕捉される。外気通路（32）の空気は第２熱交換器室（34）に流入し、第２吸着熱交換器（53）を通過する。第２吸着熱交換器（53）では、空気中の水分が吸着剤に吸着される。この際に生じる吸着熱が冷媒の蒸発熱として利用される。第２吸着熱交換器（53）で除湿された空気は、給気通路（35）、給気ダクト（6）を順に通過し、供給空気（SA）として室内へ供給される。
【００９１】
第２動作において、内気ダクト（5）に導入された室内空気（RA）は、内気通路（31）に流入し下方へ流れる。内気通路（31）の空気は第１熱交換器室（33）に流入し、第１吸着熱交換器（52）を通過する。第１吸着熱交換器（52）では、冷媒の凝縮熱が吸着剤に付与され、吸着剤が再生される。吸着剤の水分が付与された空気は、排気通路（36）、排気ダクト（7）を順に通過し、排出空気（EA）として室外へ排出される。
【００９２】
〔加湿運転〕
加湿運転では、圧縮機（51）、給気ファン（41）、および排気ファン（42）が駆動される。加湿運転では、第３動作（図１３〜図１５を参照）と第４動作（図１６〜図１８を参照）とが交互に繰り返し行われる。
【００９３】
[第３動作]
第３動作では、四方切換弁（55）が第１状態となる。第３動作中の冷媒回路（50）では、第１吸着熱交換器（52）が凝縮器（放熱器）となり第２吸着熱交換器（53）が蒸発器となる。第３動作では、８つのダンパ（D1〜D8）が第１空気流路を形成する。
【００９４】
第３動作において、外気ダクト（8）に導入された室外空気（OA）は、外気通路（32）に流入し下方へ流れる。外気通路（32）では、そこで生じる空気流れによって虫取りフィルタ（60）の弁板（65）が弾性変形するので（図１１を参照）、虫取りフィルタ（60）が外気通路（32）における空気の流通を妨げることがない。室外空気（OA）中の虫は、フィルタ部材（63）によって捕捉される。外気通路（32）の空気は第１熱交換器室（33）に流入し、第１吸着熱交換器（52）を通過する。第１吸着熱交換器（52）では、冷媒の凝縮熱が吸着剤に付与され、吸着剤が再生される。第１吸着熱交換器（52）で加湿された空気は、給気通路（35）、給気ダクト（6）を順に通過し、供給空気（SA）として室内へ供給される。
【００９５】
第３動作において、内気ダクト（5）に導入された室内空気（RA）は、内気通路（31）に流入し下方へ流れる。内気通路（31）の空気は第２熱交換器室（34）に流入し、第２吸着熱交換器（53）を通過する。第２吸着熱交換器（53）では、空気中の水分が吸着剤に吸着される。この際に生じる吸着熱が冷媒の蒸発熱として利用される。吸着剤に水分を付与した空気は、排気通路（36）、排気ダクト（7）を順に通過し、排出空気（EA）として室外へ排出される。
【００９６】
[第４動作]
第４動作では、四方切換弁（55）が第２状態となる。第４動作中の冷媒回路（50）では、第１吸着熱交換器（52）が蒸発器となり第２吸着熱交換器（53）が凝縮器（放熱器）となる。第４動作では、８つのダンパ（D1〜D8）が第２空気流路を形成する。
【００９７】
第４動作において、外気ダクト（8）に導入された室外空気（OA）は、外気通路（32）に流入し下方へ流れる。外気通路（32）では、そこで生じる空気流れによって虫取りフィルタ（60）の弁板（65）が弾性変形するので（図１１を参照）、虫取りフィルタ（60）が外気通路（32）における空気の流通を妨げることがない。室外空気（OA）中の虫は、フィルタ部材（63）によって捕捉される。外気通路（32）の空気は第２熱交換器室（34）に流入し、第２吸着熱交換器（53）を通過する。第２吸着熱交換器（53）では、冷媒の凝縮熱が吸着剤に付与され、吸着剤が再生される。第２吸着熱交換器（53）で加湿された空気は、給気通路（35）、給気ダクト（6）を順に通過し、供給空気（SA）として室内へ供給される。
【００９８】
第４動作において、内気ダクト（5）に導入された室内空気（RA）は、内気通路（31）に流入し下方へ流れる。内気通路（31）の空気は第１熱交換器室（33）に流入し、第１吸着熱交換器（52）を通過する。第１吸着熱交換器（52）では、空気中の水分が吸着剤に吸着される。この際に生じる吸着熱が冷媒の蒸発熱として利用される。吸着剤に水分を付与した空気は、排気通路（36）、排気ダクト（7）を順に通過し、排出空気（EA）として室外へ排出される。
【００９９】
なお、上記第１〜第４動作のいずれにおいても、調湿装置（10）を停止させると、外気通路（32）を空気が流れなくなるため、虫取りフィルタ（60）の弁板（65）が枠部（61）の開口（62）を閉塞する位置にもどる（図１０を参照）。
【０１００】
−実施形態の効果−
本実施形態では、調湿装置（10）の停止中には入口弁（64）によって枠部（61）の開口（62）が閉塞されるので、虫取りフィルタ（60）の交換時等でも捕捉した虫等の異物が飛散するのを確実に防止することができる。
【０１０１】
また、調湿装置（10）の停止中に、二つの弁板（65）の第２縁部（65b）が互いに重なり合って枠部（61）の開口（62）を閉塞するので、当該弁板（65）同士の間に隙間が生じにくく、捕捉した虫等の異物が飛散するのをより確実に防止することができる。
【０１０２】
また、虫取りフィルタ（60）に前方へ延びる取っ手部材（66）が設けられているので、ユーザは、当該取っ手部材（66）を把持することにより、調湿装置（10）の前側から容易に虫取りフィルタ（60）の交換を行うことができる。
【０１０３】
また、取っ手部材（66）が枠部（61）と重なるように虫取りフィルタ（60）を折り畳むことができるので、交換用の虫取りフィルタ（60）を保管しておく際に、その省スペース化を図ることができる。
【０１０４】
また、使用後の虫取りフィルタ（60）において枠部（61）と同形状の取っ手部材（66）で枠部（61）の開口（62）を覆うことにより、捕捉した虫等の異物が飛散するのをより確実に防止することができる。
【０１０５】
また、外気通路（32）に連通する外気接続部（12d）がケーシング（11）の天板（12）の背面寄りに形成されている。すなわち、ケーシング（11）の後面が家屋の側壁と接するように配置されるところ、室外に連通する外気接続部（12d）が室外空間に近い位置に形成されている。したがって、調湿装置（10）の施工性を向上させることができる。
【０１０６】
《その他の実施形態》
上記実施形態では、枠部（61）の開口（62）および各弁板（65）は共に長方形状に形成されているが、両者のうち一方が正方形状に形成されていてもよい。
【０１０７】
また、上記実施形態では、枠部（61）は長方形状に形成されているが、枠部（61）はそれ以外の形状、例えば円形状や楕円形状、あるいは四角形以外の多角形状に形成されていてもよい。このとき、各弁板（65）は、枠部（61）の開口（62）の形状に対応するように形成される。なお、枠部（61）の形状と枠部（61）の開口（62）の形状とは互いに一致していなくてもよい。
【０１０８】
また、上記実施形態では、ケーシング（11）内の右側に外気通路（32）が形成されかつケーシング（11）内の左側に内気通路（31）が形成されているが、ケーシング（11）内の右側に内気通路（31）が形成されかつケーシング（11）内の左側に外気通路（32）が形成されていてもよい。
【０１０９】
また、上記実施形態では、ケーシング（11）内の前側に給気通路（35）が形成されかつケーシング（11）内の後側に排気通路（36）が形成されているが、ケーシング（11）内の前側に排気通路（36）が形成されかつケーシング（11）内の後側に給気通路（35）が形成されていてもよい。
【０１１０】
また、上記実施形態では、調湿機能を有する調湿装置（10）が換気装置を構成しているが、換気装置は調湿機能を有しないものであってもよい。
【０１１１】
また、給気ファン（41）が給気ダクト（6）に設けられてもよいし、排気ファン（42）が排気ダクト（7）に設けられてもよい。
【産業上の利用可能性】
【０１１２】
以上説明したように、本発明は、虫取りフィルタおよびそれを備えた換気装置について有用である。
【符号の説明】
【０１１３】
10  調湿装置（換気装置）
11  ケーシング
12d  外気吸込口
32  外気通路
41  給気ファン
60  虫取りフィルタ
61  枠部
62  開口
63  フィルタ部材
64  入口弁
65  弁板
65a  第１縁部
65b  第２縁部
66  取っ手部材
【図１】
2017127823.tif 000003
【図２】
2017127823.tif 000004
【図３】
2017127823.tif 000005
【図４】
2017127823.tif 000006
【図５】
2017127823.tif 000007
【図６】
2017127823.tif 000008
【図７】
2017127823.tif 000009
【図８】
2017127823.tif 000010
【図９】
2017127823.tif 000011
【図１０】
2017127823.tif 000012
【図１１】
2017127823.tif 000013
【図１２】
2017127823.tif 000014
【図１３】
2017127823.tif 000015
【図１４】
2017127823.tif 000016
【図１５】
2017127823.tif 000017
【図１６】
2017127823.tif 000018
【図１７】
2017127823.tif 000019
【図１８】
2017127823.tif 000020